(57)【特許請求の範囲】
【請求項１】
前後方向と、該前後方向に直交する左右方向と、に延び、表面及び裏面を有するシート状のライナー部材と、
前記ライナー部材の前記裏面に配置された粘着部材と、を備え、
体液吸収物品及び下着に取り付け可能である、衛生シートであって、
前記ライナー部材は、血液及び尿が通過可能な織編物からなり、
前記粘着部材は、
一方側の面が、前記ライナー部材の前記裏面に粘着し、
他方側の面が、前記体液吸収物品に粘着可能であり、かつ前記下着に剥離可能に粘着可能であり、
前記ライナー部材の前記左右方向の両周縁部から中央側に所定距離離れた位置に配置されており、
前記ライナー部材の前記左右方向の中央線から一方側に所定距離離れた位置、かつ、前記ライナー部材の前記左右方向の前記一方側の端部から中央側に所定距離離れた位置で、前記前後方向に延びる長尺のテープ状である第１粘着部材と、
前記ライナー部材の前記中央線から他方側に所定距離離れた位置、かつ、前記ライナー部材の前記左右方向の前記他方側の端部から中央側に所定距離離れた位置で、前記前後方向に延びる長尺のテープ状である第２粘着部材と、を有し、
前記第１粘着部材及び前記第２粘着部材は、いずれも、前記ライナー部材の前記前後方向の前端側周縁部から後端側周縁部に亘って延びており、
前記粘着部材は、
支持体と、前記支持体の一方側の面に設けられた第１粘着剤層と、前記支持体の他方側の面に設けられた第２粘着剤層と、を有し、
前記第１粘着剤層が前記ライナー部材の前記裏面に粘着することによって、前記ライナー部材の前記裏面に粘着しており、
前記第２粘着剤層は、前記体液吸収物品に粘着可能であり、かつ前記下着に剥離可能に粘着可能である、衛生シート。
【請求項２】
請求項１に記載の衛生シートであって、
前記第１粘着剤層と前記第２粘着剤層とは、同一の粘着剤によって形成されている、衛生シート。
【請求項３】
請求項１に記載の衛生シートであって、
前記第１粘着剤層と前記第２粘着剤層とは、異なる粘着剤によって形成されている、衛生シート。
【発明の詳細な説明】
【技術分野】
【０００１】
本発明は、体液吸収物品及び下着に取り付け可能な衛生シートに関する。
【背景技術】
【０００２】
従来から、生理用ナプキンやおむつ等の体液吸収物品において、紙や化学繊維で製造されたものが知られている。紙や化学繊維で製造された体液吸収物品は、安価であり使い捨てが可能なため衛生的であり、近年は、生理用ナプキンやおむつ等の体液吸収物品において、主流となっている。しかしながら、紙や化学繊維で製造された体液吸収物品は、肌触りが悪く、使用すると、肌荒れ、かぶれ等が生じる場合があった。
【０００３】
一方、従来から、生理用ナプキンやおむつ等の体液吸収物品において、布等の織編物からなる体液吸収物品も知られている。布等の織編物からなる体液吸収物品は、肌触りが良好なため、肌荒れ、かぶれ等が生じにくいが、高価であり使い捨てすることが難しく、使用後のたびに洗濯する必要があり、使い勝手が悪いという課題があった。
【０００４】
これらの課題を解決すべく、例えば、特許文献１には、紙や化学繊維で製造された体液吸収物品に装着可能な布ナプキンシートが開示されている。
【先行技術文献】
【特許文献】
【０００５】
【特許文献１】特開２０１６−１６８１３９号公報
【発明の概要】
【発明が解決しようとする課題】
【０００６】
しかしながら、特許文献１の布ナプキンシートは、体液吸収物品には取り付け可能であるが、下着に直接取り付けることは難しい。そのため、特許文献１の布ナプキンシートは、下着に取り付けて使用する防汚シートとして用いることは困難であった。
【０００７】
本発明は、体液吸収物品のトップシートが直接肌に当接することを防止し、肌荒れ、かぶれ等が生じるのを防止する肌保護シートとして用いることができるとともに、下着の肌当接面に粘着することにより、剥離可能に取り付け可能な防汚シートとして用いることができる衛生シートを提供する。
【課題を解決するための手段】
【０００８】
本発明は、
前後方向と、該前後方向に直交する左右方向と、に延び、表面及び裏面を有するシート状のライナー部材と、
前記ライナー部材の前記裏面に配置された粘着部材と、を備え、
体液吸収物品及び下着に取り付け可能である、衛生シートであって、
前記ライナー部材は、血液及び尿が通過可能な織編物からなり、
前記粘着部材は、
一方側の面が、前記ライナー部材の前記裏面に粘着し、
他方側の面が、前記体液吸収物品に粘着可能であり、かつ前記下着に剥離可能に粘着可能であり、
前記ライナー部材の前記左右方向の両周縁部から中央側に所定距離離れた位置に配置されており、
前記ライナー部材の前記左右方向の中央線から一方側に所定距離離れた位置、かつ、前記ライナー部材の前記左右方向の前記一方側の端部から中央側に所定距離離れた位置で、前記前後方向に延びる長尺のテープ状である第１粘着部材と、
前記ライナー部材の前記中央線から他方側に所定距離離れた位置、かつ、前記ライナー部材の前記左右方向の前記他方側の端部から中央側に所定距離離れた位置で、前記前後方向に延びる長尺のテープ状である第２粘着部材と、を有し、
前記第１粘着部材及び前記第２粘着部材は、いずれも、前記ライナー部材の前記前後方向の前端側周縁部から後端側周縁部に亘って延びており、
前記粘着部材は、
支持体と、前記支持体の一方側の面に設けられた第１粘着剤層と、前記支持体の他方側の面に設けられた第２粘着剤層と、を有し、
前記第１粘着剤層が前記ライナー部材の前記裏面に粘着することによって、前記ライナー部材の前記裏面に粘着しており、
前記第２粘着剤層は、前記体液吸収物品に粘着可能であり、かつ前記下着に剥離可能に粘着可能である。
【発明の効果】
【０００９】
本発明によれば、ライナー部材は、織編物からなるので、衛生シートを取り付けて体液吸収物品または下着を使用することによって、ライナー部材の表面が肌と当接し、肌触りが良好となり、肌荒れ、かぶれ等が生じるのを防止できる。さらに、ライナー部材は、織編物からなるので、血液や尿など粘度の低い体液は、ライナー部材を通過し、おりものなど粘度の高い体液はライナー部材を通過せず、ライナー部材の表面に滞留する。そして、粘着部材は、他方側の面が、体液吸収物品に粘着可能であり、かつ下着に剥離可能に粘着可能であるので、衛生シートは、体液吸収物品のトップシートに粘着することにより、体液吸収物品のトップシートが直接肌に当接することを防止し、肌荒れ、かぶれ等が生じるのを防止する肌保護シートとして用いることができるとともに、下着の肌当接面に粘着することにより、剥離可能な防汚シートとして用いることができる。
【図面の簡単な説明】
【００１０】
【図１】本発明の第１実施形態の衛生シートを裏面から見た図である。
【図２】図１の衛生シートのＡ−Ａ断面図である。
【図３】図１の衛生シートの生理用ナプキンへの取り付けを説明する図である。
【図４】図１の衛生シートのショーツへの取り付けを説明する図である。
【図５Ａ】図１の衛生シートのショーツからの剥離を説明するための要部断面図である。
【図５Ｂ】粘着部材が周縁部まで延びていない場合における、衛生シートのショーツからの剥離を説明するための、図５Ａとの比較図である。
【図６】本発明の第２実施形態の衛生シートを裏面から見た図である。
【図７】本発明の第２実施形態の衛生シートの変形例を裏面から見た図である。
【発明を実施するための形態】
【００１１】
以下、本発明の衛生シートの各実施形態を、添付図面に基づいて説明する。
【００１２】
［第１実施形態］
まず、本発明の第１実施形態の衛生シート１について、図１〜図５Ｂを参照しながら説明する。
【００１３】
＜衛生シートの構成＞
図１に示すように、本実施形態の衛生シート１は、ライナー部材１０と、粘着部材２０と、を備える。
【００１４】
ライナー部材１０は、織編物からなる。本実施形態のライナー部材１０は、綿繊維の織編物からなる。ライナー部材１０は、前後方向と、該前後方向に直交する左右方向と、に延びるシート状であり、表面１０ａ及び裏面１０ｂを有する。ライナー部材１０は、左右方向の長さよりも前後方向の長さの方が長い、略長方形となっている。ライナー部材１０は、周縁部１１を有する。周縁部１１は、左右方向に延びる前後一対の前縁部１１Ｆｒ及び後縁部１１Ｒｒと、前後方向に延びる左右一対の左縁部１１Ｌ及び右縁部１１Ｒと、を有する。
【００１５】
なお、本明細書等では説明を簡単かつ明確にするために、前後、左右、上下は、衛生シート１の使用状態における使用者から見た方向に従って記載し、図面には、衛生シート１の前方をＦｒ、後方をＲｒ、左側をＬ、右側をＲ、上方をＵ、下方をＤ、として示す。
【００１６】
ライナー部材１０は、織編物からなるので、血液や尿等の粘度の低い体液は、ライナー部材１０を通過し、おりもの等の粘度の高い体液は、ライナー部材１０を通過せず、ライナー部材１０に浸透するか、ライナー部材１０の表面１０ａに滞留する。
【００１７】
粘着部材２０は、ライナー部材１０の裏面１０ｂに配置されている。
【００１８】
粘着部材２０は、ライナー部材１０の左右方向の中央線ＣＬから左側に所定距離離れた位置で前後方向に延びる長尺のテープ状の第１粘着部材２１と、ライナー部材１０の左右方向の中央線ＣＬから右側に所定距離離れた位置で前後方向に延びる長尺のテープ状の第２粘着部材２２と、を有する。
【００１９】
第１粘着部材２１は、ライナー部材１０の前縁部１１Ｆｒから後縁部１１Ｒｒに亘って延びている。第２粘着部材２２は、ライナー部材１０の前縁部１１Ｆｒから後縁部１１Ｒｒに亘って延びている。
【００２０】
図２に示すように、粘着部材２０（第１粘着部材２１、第２粘着部材２２）は、支持体２０１と、支持体２０１の上面２０１ａに設けられた第１粘着剤層２０２ａと、支持体２０１の下面２０１ｂに設けられた第２粘着剤層２０２ｂと、を有する。したがって、粘着部材２０（第１粘着部材２１、第２粘着部材２２）の上面２０ａは、第１粘着剤層２０２ａによって形成され、粘着部材２０（第１粘着部材２１、第２粘着部材２２）の下面２０ｂは、第２粘着剤層２０２ｂによって形成されている。そして、第１粘着剤層２０２ａがライナー部材１０の裏面１０ｂに粘着することによって、粘着部材２０（第１粘着部材２１、第２粘着部材２２）は、ライナー部材１０の裏面１０ｂに粘着している。
【００２１】
粘着部材２０（第１粘着部材２１、第２粘着部材２２）の第２粘着剤層２０２ｂは、生理用ナプキン４０（図３参照）に粘着可能であり、かつショーツ５０（図４参照）に剥離可能に粘着可能である。これにより、粘着部材２０（第１粘着部材２１、第２粘着部材２２）の下面２０ｂは、生理用ナプキン４０に粘着可能であり、かつショーツ５０に剥離可能に粘着可能となっている。そして、粘着部材２０（第１粘着部材２１、第２粘着部材２２）の下面２０ｂを、生理用ナプキン４０またはショーツ５０に粘着させることによって、衛生シート１は、生理用ナプキン４０に取り付け可能であり、またショーツ５０に取り付け可能である。
【００２２】
本実施形態では、第１粘着剤層２０２ａと第２粘着剤層２０２ｂとは、同一の粘着剤によって形成されている。これにより、粘着部材２０（第１粘着部材２１、第２粘着部材２２）を容易な加工で製造することができる。
【００２３】
このようにして、粘着部材２０（第１粘着部材２１、第２粘着部材２２）の上面２０ａは、ライナー部材１０の裏面１０ｂに粘着している。そして、粘着部材２０（第１粘着部材２１、第２粘着部材２２）の下面２０ｂには、使用前の状態においては、剥離紙３０が剥離可能に粘着している（図３の（ａ）、図４の（ａ）参照）。
【００２４】
＜衛生シートの生理用ナプキンへの取り付け＞
図３の（ａ）に示すように、衛生シート１は、粘着部材２０（第１粘着部材２１、第２粘着部材２２）の下面２０ｂに粘着した剥離紙３０を剥離すると、粘着部材２０（第１粘着部材２１、第２粘着部材２２）の下面２０ｂが下方に露出する。
【００２５】
次に、図３の（ｂ）に示すように、衛生シート１をライナー部材１０の裏面１０ｂが生理用ナプキン４０のトップシート４１に当接するように配置する。そして、衛生シート１を生理用ナプキン４０のトップシート４１に押圧すると、衛生シート１の粘着部材２０（第１粘着部材２１、第２粘着部材２２）の第２粘着剤層２０２ｂが生理用ナプキン４０のトップシート４１に粘着する。これにより、衛生シート１は、生理用ナプキン４０のトップシート４１に取り付けられる。
【００２６】
そして、衛生シート１が生理用ナプキン４０のトップシート４１に取り付けられた状態で、生理用ナプキン４０を使用する。したがって、生理用ナプキン４０の使用時、生理用ナプキン４０のトップシート４１が肌と当接するのではなく、衛生シート１のライナー部材１０の表面１０ａが肌と当接する。
【００２７】
これにより、生理用ナプキン４０が安価な紙製で肌触りが悪いものである場合でも、肌と当接するのは、肌触りが良好な綿繊維の織編物からなるライナー部材１０となる。よって、生理用ナプキン４０が安価な紙製で肌触りが悪いものである場合でも、衛生シート１を取り付けて生理用ナプキン４０を使用することによって、肌触りが良好となり、使用者に、肌荒れ、かぶれ等が生じることを防止できる。
【００２８】
さらに、ライナー部材１０は、織編物からなるので、血液や尿等の粘度の低い体液は、ライナー部材１０を通過して、生理用ナプキン４０の吸収体へと吸収される。したがって、衛生シート１を取り付けて生理用ナプキン４０を使用しても、生理時の経血は、ライナー部材１０の表面１０ａにほとんど滞留しない。これにより、経血がライナー部材１０の表面１０ａに滞留することによる不快感を使用者に与えることなく、衛生シート１を生理用ナプキン４０に取り付けて使用できる。
【００２９】
また、生理時の経血は、主にライナー部材１０の左右方向の中央線ＣＬ付近を通過する。これに対し、第１粘着部材２１及び第２粘着部材２２は、ライナー部材１０の左右方向の中央線ＣＬから左側及び右側に所定距離離れた位置に配置されているので、ライナー部材１０の左右方向の中央線ＣＬ付近には粘着部材２０が配置されない。これにより、生理時の経血がライナー部材１０を通過する際に、粘着部材２０が妨げとなることを防止できる。
【００３０】
衛生シート１を取り付けた生理用ナプキン４０の使用後は、図３の（ｃ）に示すように、衛生シート１が生理用ナプキン４０に取り付けられた状態のまま、衛生シート１及び生理用ナプキン４０をまとめて廃棄すればよい。
【００３１】
このように、衛生シート１は、生理用ナプキン４０のトップシート４１に取り付けることによって、生理用ナプキン４０のトップシート４１が直接肌に当接することを防止し、肌荒れ、かぶれ等が生じることを防止する、生理用ナプキン４０の肌保護シートとして用いることができる。
【００３２】
＜衛生シートのショーツへの取り付け＞
図４の（ａ）に示すように、衛生シート１は、粘着部材２０（第１粘着部材２１、第２粘着部材２２）の下面２０ｂに粘着した剥離紙３０を剥離すると、粘着部材２０（第１粘着部材２１、第２粘着部材２２）の下面２０ｂが下方に露出する。
【００３３】
次に、図４の（ｂ）に示すように、衛生シート１をライナー部材１０の裏面１０ｂがショーツ５０のクロッチ部分５１に当接するように配置する。そして、衛生シート１をショーツ５０のクロッチ部分５１に押圧すると、衛生シート１の粘着部材２０（第１粘着部材２１、第２粘着部材２２）の第２粘着剤層２０２ｂがショーツ５０のクロッチ部分５１に粘着する。これにより、衛生シート１は、ショーツ５０のクロッチ部分５１に取り付けられる。
【００３４】
そして、衛生シート１がショーツ５０のクロッチ部分５１に取り付けられた状態で、ショーツ５０を使用する。したがって、ショーツ５０の使用時、ショーツ５０のクロッチ部分５１が肌と当接するのではなく、衛生シート１のライナー部材１０の表面１０ａが肌と当接する。
【００３５】
これにより、衛生シート１を取り付けたショーツ５０を履いた場合、肌と当接するのは、クロッチ部分５１ではなく衛生シート１のライナー部材１０となる。ライナー部材１０は、肌触りが良好な綿繊維の織編物からなるので、使用者に違和感を生じさせず、また、使用者に、肌荒れ、かぶれ等が生じることを防止できる。
【００３６】
さらに、ライナー部材１０は、織編物からなるので、おりもの等の粘度の高い体液は、ライナー部材１０を通過せず、ライナー部材１０に浸透するか、ライナー部材１０の表面１０ａに滞留する。したがって、衛生シート１を取り付けてショーツ５０を使用することで、ショーツ５０のクロッチ部分５１がおりもの等によって汚れることを防止できる。
【００３７】
粘着部材２０（第１粘着部材２１、第２粘着部材２２）は、ショーツ５０に剥離可能に粘着されているので、衛生シート１を取り付けたショーツ５０の使用後は、図４の（ｃ）に示すように、衛生シート１をショーツ５０から剥離して、衛生シート１のみを廃棄でき、ショーツ５０は洗濯して繰り返し使用できる。
【００３８】
このように、衛生シート１は、ショーツ５０のクロッチ部分５１に取り付けることによって、ショーツ５０のクロッチ部分５１がおりもの等によって汚れることを防止する、剥離可能なおりものシートとして用いることができる。
【００３９】
＜衛生シートのショーツからの剥離＞
従来のおりものシートは、おりものシートの一方側の面に糊が塗布されており、糊によってショーツに取り付けられるものが多い。しかしながら、糊が塗布されているおりものシートをショーツから剥離する際、糊がショーツに残ってしまうことが課題であった。
【００４０】
本実施形態の衛生シート１は、粘着部材２０が支持体２０１を有している。そして、ショーツ５０に粘着する第２粘着剤層２０２ｂは支持体２０１に粘着して設けられている。したがって、衛生シート１をショーツ５０から剥離する際、第２粘着剤層２０２ｂは、支持体２０１とともにショーツ５０から剥離する。これにより、衛生シート１をショーツ５０から剥離する際に、粘着部材２０がショーツ５０に残ってしまうことを防止できる。
【００４１】
また、衛生シート１をショーツ５０から剥離する際、衛生シート１の前縁部１１Ｆｒまたは後縁部１１Ｒｒから前後方向に引き剥がすことが多い。例えば、図５Ｂに示すように、粘着部材２０が前縁部１１Ｆｒまで延びていない場合に、衛生シート１を前縁部１１Ｆｒから後方へと引き剥がすと、衛生シート１を前縁部１１Ｆｒから粘着部材２０の前端部までの距離に応じて、粘着部材２０の前端部に大きなモーメントがかかる。これにより、衛生シート１をショーツ５０から剥離する際、粘着部材２０の第１粘着剤層２０２ａがライナー部材１０の裏面１０ｂから剥離してしまい、粘着部材２０が、第１粘着剤層２０２ａ、支持体２０１及び第２粘着剤層２０２ｂごと、ショーツ５０に残ってしまう虞があった。
【００４２】
本実施形態では、第１粘着部材２１は、ライナー部材１０の前縁部１１Ｆｒから後縁部１１Ｒｒに亘って延びており、第２粘着部材２２は、ライナー部材１０の前縁部１１Ｆｒから後縁部１１Ｒｒに亘って延びている。これにより、図５Ａに示すように、衛生シート１の前縁部１１Ｆｒまたは後縁部１１Ｒｒから前後方向に引き剥がす際に、第１粘着部材２１及び第２粘着部材２２の前端部または後端部に大きなモーメントがかからないので、第１粘着部材２１及び第２粘着部材がショーツ５０に残ってしまうことをより確実に防止できる。
【００４３】
［第２実施形態］
続いて、本発明の第２実施形態の衛生シート１Ａについて図６〜図７を参照しながら説明する。なお、以下の説明において、第１実施形態の衛生シート１と同一の構成要素については同一の符号を付して説明を省略または簡略化する。第１実施形態の衛生シート１では、粘着部材２０は、ライナー部材１０の左右方向の中央線ＣＬから左側に所定距離離れた位置で前後方向に延びる長尺のテープ状の第１粘着部材２１と、ライナー部材１０の左右方向の中央線ＣＬから右側に所定距離離れた位置で前後方向に延びる長尺のテープ状の第２粘着部材２２と、を有するものとしたが、第２実施形態の衛生シート１Ａでは、粘着部材２００が、前後方向及び左右方向に延びる１枚のシート状である。以下、第１実施形態の衛生シート１と第２実施形態の衛生シート１Ａとの相違点について詳細に説明する。
【００４４】
図６に示すように、本実施形態の衛生シート１Ａは、ライナー部材１０と、粘着部材２００と、を備える。
【００４５】
粘着部材２００は、前後方向及び左右方向に延びる１枚のシート状であり、ライナー部材１０の裏面１０ｂの略全面を覆っている。
【００４６】
粘着部材２００は、第１実施形態の粘着部材２０と同様に、支持体２０１と、支持体２０１の上面２０１ａに設けられた第１粘着剤層２０２ａと、支持体２０１の下面２０１ｂに設けられた第２粘着剤層２０２ｂと、を有する。
【００４７】
粘着部材２００には、ライナー部材１０の裏面１０ｂが露出する所定形状のくり抜き部２３が設けられている。本実施形態では、ライナー部材１０の前後方向における中央部ＣＡに、前後方向に長い楕円形状のくり抜き部２３が設けられている。
【００４８】
これにより、衛生シート１を生理用ナプキン４０のトップシート４１に取り付けて、衛生シート１を生理用ナプキン４０の肌保護シートとして用いる場合に、生理時の経血がライナー部材１０を通過する際、粘着部材２００が妨げとなることを、くり抜き部２３によって抑制できる。
【００４９】
生理時の経血は、主にライナー部材１０の前後方向における中央部ＣＡ付近を通過する。粘着部材２００には、ライナー部材１０の前後方向における中央部ＣＡにくり抜き部２３が設けられているので、生理時の経血がライナー部材１０を通過する際に、粘着部材２００が妨げとなることをより効果的に抑制できる。
【００５０】
なお、くり抜き部２３は、楕円形状に限らず、任意の形状としてもよい。例えば、くり抜き部２３は、前後方向に長い長方形であってもよい。
【００５１】
また、くり抜き部２３は、複数設けられていてもよい。図７に示すように、複数の正方形状のくり抜き部２３が、前後方向に並んでいてもよい。また、くり抜き部２３の形状は、正方形状に限らず、円形状、星型形状、ハート型形状等、任意の形状としてもよい。このとき、くり抜き部２３は、少なくともライナー部材１０の前後方向における中央部ＣＡに設けられていることが好ましい。これにより、生理時の経血がライナー部材１０を通過する際に、粘着部材２００が妨げとなることをより効果的に抑制できる。
【００５２】
以上、本発明の実施形態を説明したが、本発明は上記実施形態に限定されるものではなく、適宜、変形、改良、等が可能である。
【００５３】
例えば、第１実施形態及び第２実施形態では、衛生シート１は、生理用ナプキン４０の肌保護シートとして用いるものとしたが、生理用ナプキン４０に限らず、任意の体液吸収物品の肌保護シートとして用いてもよい。すなわち、生理用ナプキン４０に代えて、おむつ、失禁パッド、洗濯して繰り返し使用可能な布ナプキン等に衛生シート１を取り付け、おむつや失禁パッド等の肌保護シートとして用いてもよい。
【００５４】
また、例えば、衛生シート１は、ショーツ５０に取り付ける、剥離可能なおりものシートとして用いるものとしたが、ショーツ５０に限らず、任意の下着に取り付け、粘度の高い体液によって下着が汚れることを防止する防汚シートとして用いてもよい。
【００５５】
また、例えば、第１実施形態及び第２実施形態では、ライナー部材１０は、略長方形のシート状としたが、形状は限定されない。ライナー部材１０は、例えば、楕円形状のシート状や、瓢箪形状のシート状としてもよいし、左縁部１１Ｌ及び右縁部１１Ｒから左右方向外側に突出したウイング部が設けられていてもよい。
【００５６】
また、例えば、第１実施形態及び第２実施形態では、第１粘着剤層２０２ａと第２粘着剤層２０２ｂとは、同一の粘着剤によって形成されているものとしたが、第１粘着剤層２０２ａと第２粘着剤層２０２ｂとは、異なる粘着剤によって形成されていてもよい。このようにすると、第１粘着剤層２０２ａに用いる粘着剤を自由に選択することによって、粘着部材２０とライナー部材１０との粘着力を自由に調整でき、第２粘着剤層２０２ｂに用いる粘着剤を自由に選択することによって、粘着部材２０と生理用ナプキン４０またはショーツ５０との粘着力を自由に調整できる。
【００５７】
また、例えば、第１実施形態では、第１粘着部材２１は、ライナー部材１０の前縁部１１Ｆｒから後縁部１１Ｒｒに亘って延びており、第２粘着部材２２は、ライナー部材１０の前縁部１１Ｆｒから後縁部１１Ｒｒに亘って延びているものとしたが、第１粘着部材２１及び第２粘着部材２２は、一端部が、ライナー部材１０の周縁部１１の任意の位置から延びていれば、前後方向に延びていなくてもよく、左右方向に延びていてもよい。第１粘着部材２１及び第２粘着部材２２の一端部が位置するライナー部材１０の周縁部１１から、衛生シート１をショーツ５０から引き剥がすことによって、粘着部材２０に大きなモーメントがかからず、第１粘着部材２１及び第２粘着部材２２がショーツ５０に残ってしまうことをより確実に防止できる。このとき、第１粘着部材２１及び第２粘着部材２２の一端部は、ライナー部材１０の前縁部１１Ｆｒ、後縁部１１Ｒｒ、左縁部１１Ｌ及び右縁部１１Ｒのうち、同一の周縁部１１から延びていることが好ましい。このようにすると、ライナー部材１０の前後左右いずれか一方から、衛生シート１をショーツ５０から引き剥がせば、第１粘着部材２１及び第２粘着部材２２がショーツ５０に残らないので、第１粘着部材２１及び第２粘着部材２２がショーツ５０に残らず、かつ容易に衛生シート１をショーツ５０から引き剥がすことができる。
【００５８】
また、本明細書には少なくとも以下の事項が記載されている。なお、括弧内には、上記した実施形態において対応する構成要素等を示しているが、これに限定されるものではない。
【００５９】
（１）  前後方向と、該前後方向に直交する左右方向と、に延び、表面（表面１０ａ）及び裏面（裏面１０ｂ）を有するシート状のライナー部材（ライナー部材１０）と、
前記ライナー部材の前記裏面に配置された粘着部材（粘着部材２０、２００）と、を備え、
体液吸収物品（生理用ナプキン４０）及び下着（ショーツ５０）に取り付け可能である、衛生シート（衛生シート１、１Ａ）であって、
前記ライナー部材は、織編物からなり、
前記粘着部材は、
一方側の面（上面２０ａ）が、前記ライナー部材の前記裏面に粘着し、
他方側の面（下面２０ｂ）が、前記体液吸収物品に粘着可能であり、かつ前記下着に剥離可能に粘着可能である、衛生シート。
【００６０】
（１）によれば、ライナー部材は、織編物からなるので、衛生シートを取り付けて体液吸収物品または下着を使用することによって、ライナー部材の表面が肌と当接し、肌触りが良好となり、肌荒れ、かぶれ等が生じるのを防止できる。さらに、ライナー部材は、織編物からなるので、血液や尿など粘度の低い体液は、ライナー部材を通過し、おりものなど粘度の高い体液はライナー部材を通過せず、ライナー部材の表面に滞留する。そして、粘着部材は、他方側の面が、体液吸収物品に粘着可能であり、かつ下着に剥離可能に粘着可能であるので、衛生シートは、体液吸収物品のトップシートに粘着することにより、体液吸収物品のトップシートが直接肌に当接することを防止し、肌荒れ、かぶれ等が生じるのを防止する肌保護シートとして用いることができるとともに、下着の肌当接面に粘着することにより、剥離可能な防汚シートとして用いることができる。
【００６１】
（２）  （１）に記載の衛生シートであって、
前記粘着部材は、
支持体（支持体２０１）と、前記支持体の一方側の面（上面２０１ａ）に設けられた第１粘着剤層（第１粘着剤層２０２ａ）と、前記支持体の他方側の面（下面２０１ｂ）に設けられた第２粘着剤層（第２粘着剤層２０２ｂ）と、を有し、
前記第１粘着剤層が前記ライナー部材の前記裏面に粘着することによって、前記ライナー部材の前記裏面に粘着しており、
前記第２粘着剤層は、前記体液吸収物品に粘着可能であり、かつ前記下着に剥離可能に粘着可能である、衛生シート。
【００６２】
（２）によれば、粘着部材は、支持体を有し、第２粘着剤層が支持体に設けられているので、衛生シートを下着から剥離する際、第２粘着剤層は、支持体とともに下着から剥離する。これにより、衛生シートを下着から剥離する際に、粘着部材が下着に残ってしまうことを防止できる。
【００６３】
（３）  （２）に記載の衛生シートであって、
前記粘着部材は、前記ライナー部材の周縁部（周縁部１１）から延びている、衛生シート。
【００６４】
（３）によれば、粘着部材は、ライナー部材の周縁部から延びているので、ライナー部材の周縁部から衛生シートを下着から引き剥がすことによって、衛生シートを下着から剥離する際、粘着部材に大きなモーメントがかからず、粘着部材が下着に残ってしまうことをより確実に防止できる。
【００６５】
（４）  （３）に記載の衛生シートであって、
前記粘着部材は、前記ライナー部材の前記前後方向の前端側周縁部（前縁部１１Ｆｒ）から、前記前後方向の後端側周縁部（後縁部１１Ｒｒ）に亘って延びている、衛生シート。
【００６６】
（４）によれば、ライナー部材の前後方向の前端側周縁部から後端側周縁部に亘って延びているので、衛生シートを前端側周縁部または後端側周縁部から前後方向に引き剥がす場合に、粘着部材に大きなモーメントがかからず、粘着部材が下着に残ってしまうことをより確実に防止できる。
【００６７】
（５）  （２）〜（４）のいずれかに記載の衛生シートであって、
前記第１粘着剤層と前記第２粘着剤層とは、同一の粘着剤によって形成されている、衛生シート。
【００６８】
（５）によれば、第１粘着剤層と第２粘着剤層とは、同一の粘着剤によって形成されているので、粘着部材を容易な加工で製造することができる。
【００６９】
（６）  （２）〜（４）のいずれかに記載の衛生シートであって、
前記第１粘着剤層と前記第２粘着剤層とは、異なる粘着剤によって形成されている、衛生シート。
【００７０】
（６）によれば、第１粘着剤層と第２粘着剤層とは、異なる粘着剤によって形成されているので、第１粘着剤層に用いる粘着剤を自由に選択することによって、粘着部材とライナー部材との粘着力を自由に調整でき、第２粘着剤層に用いる粘着剤を自由に選択することによって、粘着部材と体液吸収物品または下着との粘着力を自由に調整できる。
【００７１】
（７）  （１）〜（６）のいずれかに記載の衛生シートであって、
前記粘着部材は、前記前後方向に延びる長尺のテープ状であり、前記ライナー部材の前記左右方向の中央線（中央線ＣＬ）から一方側（左側）に所定距離離れた位置で前記前後方向に延びる第１粘着部材（第１粘着部材２１）と、前記ライナー部材の前記中央線から他方側（右側）に所定距離離れた位置で前記前後方向に延びる第２粘着部材（第２粘着部材２２）と、を有する、衛生シート。
【００７２】
（７）によれば、第１粘着部材及び第２粘着部材は、ライナー部材の左右方向の中央線ＣＬから一方側及び他方側に所定距離離れた位置に配置されているので、ライナー部材の左右方向の中央線付近には粘着部材が配置されない。これにより、衛生シートを体液吸収物品の肌保護シートとして用いる場合に、粘度の低い体液がライナー部材を通過する際、粘着部材が妨げとなることを防止できる。
【００７３】
（８）  （１）〜（６）のいずれかに記載の衛生シートであって、
前記粘着部材は、前記前後方向及び前記左右方向に延びるシート状であり、前記ライナー部材の前記裏面が露出する所定形状のくり抜き部（くり抜き部２３）を有する、衛生シート。
【００７４】
（８）によれば、粘着部材は、ライナー部材の裏面が露出する所定形状のくり抜き部を有するので、衛生シートを体液吸収物品の肌保護シートとして用いる場合に、粘度の低い体液がライナー部材を通過する際、粘着部材が妨げとなることを、くり抜き部によって抑制できる。
【００７５】
（９）  （８）に記載の衛生シートであって、
前記粘着部材の前記くり抜き部は、少なくとも前記前後方向における中央部（中央部ＣＡ）に形成されている、衛生シート。
【００７６】
（９）によれば、粘着部材のくり抜き部は、少なくとも前後方向における中央部に形成されているので、衛生シートを体液吸収物品の肌保護シートとして用いる場合に、粘度の低い体液がライナー部材を通過する際に、粘着部材が妨げとなることをくり抜き部によってより効果的に抑制できる。
【符号の説明】
【００７７】
１、１Ａ  衛生シート
１０  ライナー部材
１０ａ  表面
１０ｂ  裏面
１１  周縁部
１１Ｆｒ  前縁部（前端側周縁部）
１１Ｒｒ  後縁部（後端側周縁部）
２０、２００  粘着部材
２０ａ  上面（一方側の面）
２０ｂ  下面（他方側の面）
２０１  支持体
２０１ａ  上面（一方側の面）
２０１ｂ  下面（他方側の面）
２０２ａ  第１粘着剤層
２０２ｂ  第２粘着剤層
２１  第１粘着部材
２２  第２粘着部材
２３  くり抜き部
４０  生理用ナプキン（体液吸収物品）
５０  ショーツ（下着）
ＣＬ  中央線
ＣＡ  中央部
【図１】
0006934204.tif 000002
【図２】
0006934204.tif 000003
【図３】
0006934204.tif 000004
【図４】
0006934204.tif 000005
【図５Ａ】
0006934204.tif 000006
【図５Ｂ】
0006934204.tif 000007
【図６】
0006934204.tif 000008
【図７】
0006934204.tif 000009